(57)【要約】【課題】容易かつ簡便に特典の取引を行うことができる新規かつ有用な取引管理システム及び取引管理方法を提供する。【解決手段】ユーザーが特典を取引するための取引管理サーバーと、前記取引管理サーバーと通信可能に接続される前記ユーザーのユーザー端末とを備えている取引管理システムであって、縦軸又は横軸を前記特典の価格とし、横軸又は縦軸を時間とするチャートを前記ユーザーに表示する手段を備えており、より具体的には、前記取引管理サーバー又は前記ユーザー端末は、縦軸又は横軸を前記特典の価格とし、横軸又は縦軸を時間とするチャートを前記ユーザーに表示する手段を有している取引管理システム。【選択図】図６
2022001973.tif 000002
【特許請求の範囲】
【請求項１】
ユーザーが特典を取引するための取引管理システムであって、縦軸又は横軸を前記特典の価格とし、横軸又は縦軸を時間とするチャートを前記ユーザーに表示する手段を備えていることを特徴とする取引管理システム。
【請求項２】
前記特典が有効期限を有する請求項１記載の取引管理システム。
【請求項３】
前記特典がポイントである請求項１又は２に記載の取引管理システム。
【請求項４】
前記チャートが、縦軸を前記特典の価格とし、横軸を時間とする請求項１〜３のいずれかに記載の取引管理システム。
【請求項５】
前記チャートが、カギ足テクニカルチャート又はローソク足チャートである請求項１〜４のいずれかに記載の取引管理システム。
【請求項６】
前記チャートが、始値、高値、安値及び終値を時系列で表示したものである請求項１〜５のいずれかに記載の取引管理システム。
【請求項７】
さらに、取引管理サーバーと、前記取引管理サーバーと通信可能に接続される前記ユーザーのユーザー端末とを備えており、前記取引管理サーバー又は前記ユーザー端末は、縦軸又は横軸を前記特典の価格とし、横軸又は縦軸を時間とするチャートを前記ユーザーに表示する手段を有している請求項１〜６のいずれかに記載の取引管理システム。
【請求項８】
前記特典の取引にブロックチェーンを用いる手段を有している請求項１〜７のいずれかに記載の取引管理システム。
【請求項９】
ユーザーが特典を取引するための取引管理方法であって、縦軸又は横軸を前記特典の価格とし、横軸又は縦軸を時間とするチャートを前記ユーザーに表示することを特徴とする取引管理方法。
【請求項１０】
前記特典が有効期限を有する請求項９記載の取引管理方法。
【請求項１１】
前記特典がポイントである請求項９又は１０に記載の取引管理方法。
【請求項１２】
前記チャートが、縦軸を前記特典の価格とし、横軸を時間とする請求項９〜１１のいずれかに記載の取引管理方法。
【請求項１３】
前記チャートが、カギ足テクニカルチャート又はローソク足チャートである請求項９〜１２のいずれかに記載の取引管理方法。
【請求項１４】
前記チャートが、始値、高値、安値及び終値を時系列で表示したものである請求項９〜１３のいずれかに記載の取引管理方法。
【請求項１５】
前記特典の取引にブロックチェーンを用いる請求項９〜１４のいずれかに記載の取引管理方法。
【請求項１６】
ユーザーが特典を取引するための取引管理装置を、縦軸又は横軸を前記特典の価格とし、横軸又は縦軸を時間とするチャートを前記ユーザーに画像表示する手段として機能させるプログラム。
【発明の詳細な説明】
【技術分野】
【０００１】
本発明は、特典の取引に用いられる取引管理システム、取引管理方法又はこれらに適用されるプログラムに関する。
【背景技術】
【０００２】
従来より、商品の購入時等においてポイントを付与することが行われている。ポイントには通常、有効期限が設けられているため、有効期限を実質的に延ばす目的で別のポイントに交換するシステムや有効期限の残り期間に応じた換金レートを適用する換金システム等が検討されている（特許文献１）。
また、近年においては、電子マネーやポイント用の専用口座を用いて金融機関の管理サーバーにてポイントと貨幣とを交換できるように構成されたシステム等も検討されている（特許文献２）。しかしながら、貨幣と交換するような量のポイントは蓄積するまで時間がかかるものであり、ポイントを蓄積したときにはポイント有効期間が経過して使用しないまま、気づかずにポイントが消滅してしまう問題があった。また、近年においては、複数種類のポイントを、互いに交換可能とすると共に、外国通貨でのポイント交換についても、同様にポイント交換可能とするポイント管理システムも検討されている（特許文献３）。しかしながら、有効期限のそれぞれ異なる他のポイントと交換すること自体が実現困難であり、また、ポイントは有効期限があるためにポイントの価値を評価すること自体が難しく、ポイントの交換取引には適さないといった問題があった。そのため、ポイントの交換取引が容易に実現可能となる方策が待ち望まれていた。
【先行技術文献】
【特許文献】
【０００３】
【特許文献１】特開２００２−２０３１６３号公報
【特許文献２】特開２００９−９３１５号公報
【特許文献３】特許第６２１６８９６号
【発明の概要】
【発明が解決しようとする課題】
【０００４】
本発明は、容易かつ簡便に特典の取引を行うことができる新規かつ有用な取引管理システム及び取引管理方法を提供することを目的とする。
【課題を解決するための手段】
【０００５】
本発明者らは、上記目的を達成すべく鋭意検討した結果、ユーザーが特典を取引するための取引管理システムであって、縦軸又は横軸を前記特典の価格とし、横軸又は縦軸を時間とするチャートを前記ユーザーに表示する手段を備えている取引管理システムが、容易かつ簡便に特典の取引を行うことができることを知見し、このような取引管理システム及び取引管理方法が、上記した従来の問題を一挙に解決できるものであることを見出した。
また、本発明者らは、上記知見を得た後、さらに検討を重ねて、本発明を完成させるに至った。
【０００６】
すなわち、本発明は、以下の発明に関する。
［１］  ユーザーが特典を取引するための取引管理システムであって、縦軸又は横軸を前記特典の価格とし、横軸又は縦軸を時間とするチャートを前記ユーザーに表示する手段を備えていることを特徴とする取引管理システム。
［２］  前記特典が有効期限を有する前記［１］記載の取引管理システム。
［３］  前記特典がポイントである前記［１］又は［２］に記載の取引管理システム。
［４］  前記チャートが、縦軸を前記特典の価格とし、横軸を時間とする前記［１］〜［３］のいずれかに記載の取引管理システム。
［５］  前記チャートが、カギ足テクニカルチャート又はローソク足チャートである前記［１］〜［４］のいずれかに記載の取引管理システム。
［６］  前記チャートが、始値、高値、安値及び終値を時系列で表示したものである前記［１］〜［５］のいずれかに記載の取引管理システム。
［７］  さらに、取引管理サーバーと、前記取引管理サーバーと通信可能に接続される前記ユーザーのユーザー端末とを備えており、前記取引管理サーバー又は前記ユーザー端末は、縦軸又は横軸を前記特典の価格とし、横軸又は縦軸を時間とするチャートを前記ユーザーに表示する手段を有している前記［１］〜［６］のいずれかに記載の取引管理システム。
［８］  前記特典の取引にブロックチェーンを用いる手段を有している前記［１］〜［７］のいずれかに記載の取引管理システム。
［９］  ユーザーが特典を取引するための取引管理方法であって、縦軸又は横軸を前記特典の価格とし、横軸又は縦軸を時間とするチャートを前記ユーザーに表示することを特徴とする取引管理方法。
［１０］  前記特典が有効期限を有する前記［９］記載の取引管理方法。
［１１］  前記特典がポイントである前記［９］又は［１０］に記載の取引管理方法。
［１２］  前記チャートが、縦軸を前記特典の価格とし、横軸を時間とする前記［９］〜［１１］のいずれかに記載の取引管理方法。
［１３］  前記チャートが、カギ足テクニカルチャート又はローソク足チャートである前記［９］〜［１２］のいずれかに記載の取引管理方法。
［１４］  前記チャートが、始値、高値、安値及び終値を時系列で表示したものである前記［９］〜［１３］のいずれかに記載の取引管理方法。
［１５］  前記特典の取引にブロックチェーンを用いる前記［９］〜［１４］のいずれかに記載の取引管理方法。
［１６］  ユーザーが特典を取引するための取引管理装置を、縦軸又は横軸を前記特典の価格とし、横軸又は縦軸を時間とするチャートを前記ユーザーに画像表示する手段として機能させるプログラム。
【発明の効果】
【０００７】
本発明の取引管理システム及び取引管理方法によれば、容易かつ簡便に特典の取引を行うことができる。
【図面の簡単な説明】
【０００８】
【図１】本発明の取引管理システムの好適な実施態様の一例を模式的に示す図である。
【図２】本発明において好適に用いられるユーザー端末の内部システム構成の機能的要素の一例を模式的に示す図である。
【図３】本発明の取引管理システムにおいて好適に実施される情報処理フローの一例を説明する図である。
【図４】本発明の取引管理システムにおいて好適に実施されるフローチャートの一例を説明する図である。
【図５】本発明の取引管理システムにおいて好適に実施されるポイントの有効期限選択画面の一例を説明する図である。
【図６】本発明の取引管理システムにおいて好適に用いられるポイントのチャートの一例を説明する図である。
【図７】本発明において好適に用いられる取引画面の一例を説明する図である。
【図８】本発明において好適に用いられる取引画面の一例を説明する図である。
【図９】本発明の取引管理システムにおいて好適に用いられるブロックチェーンの構成の一例を説明する図である。
【発明を実施するための形態】
【０００９】
本発明の取引管理システムは、ユーザーが特典を取引するための取引管理システムであって、縦軸又は横軸を前記特典の価格とし、横軸又は縦軸を時間とするチャートを前記ユーザーに表示する手段を備えていることを特長とする。
【００１０】
「特典」は、本発明の目的を阻害しない限り限定されず商品又はサービスにおいて付与される公知の特典であってよい。前記特典としては例えば景品等との引換に用いる特典（例えばポイント等）又は投票券の代金の支払いに用いる特典（例えば、値引や割引等）などが挙げられる。前記特典は、有効期限を有しているのが好ましく、具体的な有効期限の期限日又は有効期間等は本発明の目的を阻害しない限り特に限定されない。本発明においては、前記特典がポイントであるのが好ましい。「ポイント」は、本発明の目的を阻害しない限り特に限定されず、商取引において付与等がされる公知のポイントであってよい。
【００１１】
「有効期限」は、通常、前記特典の有効期間の満了日をいい、前記有効期限の条件は、前記有効期限のうち、任意の有効期限のものを条件とするものであれば特に限定されない。前記有効期限の条件としては、例えば、前記有効期限までの任意の期間を含む条件などが好適な例として挙げられる。前記の有効期限までの任意の期間としては、特に限定されないが、例えば、現在、現時点、本日又は明日から有効期限までの任意の期間等が挙げられる。前記任意の期間としては、例えば、２４時間以上、１日以上、３日以上、１週間以上、２週間以上、３週間以上、１ヶ月以上、２ヶ月以上、３ヶ月以上、４ヶ月以上、５ヶ月以上、６ヶ月以上、１年以上などが挙げられる。本発明においては、前記有効期限の条件が、有効期限まで１週間以上、１ヶ月間以上及び３ヶ月以上のうち、いずれか１種以上の条件を含むものが好ましい。
【００１２】
前記チャートは、縦軸又は横軸を前記特典の価格とし、横軸又は縦軸を時間とするチャートであれば特に限定されないが、本発明においては、前記チャートが、縦軸を前記特典の価格とし、横軸を時間とするのが好ましい。前記チャートは、チャートの種類等特に限定されないが、本発明においては、カギ足テクニカルチャート又はローソク足チャートであるのが好ましい。また、本発明においては、前記チャートが、始値、高値、安値及び終値を時系列で表示したものであるのが好ましい。このような好ましいチャートによれば、前記特典をより容易に取引可能なものとすることができる。
【００１３】
「ユーザー」は、利用者ともいい、前記特典を取り引きできる人であればよく、自然人のみならず、法人や各種団体であってもよい。
「取引」は、前記特典を含む取引であれば特に限定されないが、本発明においては、前記取引が、前記特典と貨幣との交換取引、前記特典と暗号資産との交換取引、前記特典と前記特典とは異なる特典との交換取引、前記特典と貴金属との交換取引、又は前記特典と金融商品との交換取引であるのが好ましく、前記特典と貨幣との交換取引又は前記特典と暗号資産との交換取引であるのがより好ましい。なお、「価格」は、通常、貨幣の価額により評価され得るが、本発明においては、貨幣のみならず、暗号資産、他の特典、貴金属又は金融商品の量又は条件等で設定されてもよい。
【００１４】
「貨幣」は、何らかの値に交換され得る任意の媒体をいい、前記貨幣としては、例えば、特に限定されないが、紙幣、硬貨、為替又はキャッシャーチェック等が挙げられ、種々の通貨（デジタル通貨を含む）も含まれる。本発明においては、前記貨幣が、政府が承認又は発行した通貨（法廷通貨等）であるのが、取引管理がより容易となるので好ましい。
【００１５】
「暗号資産」は、仮想通貨ともいい、インターネット上でやりとりできる財産的価値をもつものをいう。
「貴金属」は、金（Ａｕ）、銀（Ａｇ）、白金（Ｐｔ）、パラジウム（Ｐｄ）、ロジウム（Ｒｈ）、イリジウム（Ｉｒ）、ルテニウム（Ｒｕ）及びオスミウム（Ｏｓ）から選ばれる１種又は２種以上の貴金属をいい、本発明においては、他の金属とともに取引されてもよい。
【００１６】
「金融商品」は、狭義の金融商品のみならず、一般的な有価証券や金融派生商品（金融デリバティブ）などを含む。前記金融商品としては、例えば、株式、債券、不動産証券、投資信託、転換社債、信用取引、国内債券、外国債券、ＭＭＦ、中期国債ファンド、ＭＲＦ、ＲＥＩＴ、ＣＦＤ、ＥＴＦ、ＥＴＮ、外国為替、金、プラチナ、商品先物、各種定期預金、各種仕組預金、各種貯金、各種貯蓄、各種保険、金銭信託、外貨預金等、先物取引、オプション、スワップ、新株予約権等が挙げられる。
【００１７】
図１は、本発明の取引管理システムの好適な実施態様の一例を示す。図１に示されるように、通信回線１８（好ましくは専用回線）を介して、取引管理サーバー１２と、前記ユーザーのユーザー端末１１とが接続されており、通信回線を介して、前記特典の取引指示をユーザー端末１１から取引管理サーバー１２に送信する等して情報処理を行うことにより、前記特典の取引が可能なように構成されている。ここで、前記ユーザー端末は、前記特典の有効期限の条件を選択する手段を有しており、さらに、前記ユーザーが選択した前記条件を前記取引管理サーバーに送出する手段も有している。
【００１８】
前記取引管理サーバーとしては、例えば特典取引管理系ホストコンピューター等が挙げられる。前記特典取引管理系ホストコンピューターは、前記特典の交換取引（トランザクション）に基づいて、前記特典の取引や保有残高等を管理するコンピューターであり、通信回線を介して、前記特典の発行者の制御系コンピューターに接続されうる。また、本発明においては、前記取引管理サーバーが特典発行者の特典情報管理サーバーであるか、又は前記特典情報管理サーバーに通信回線を介して通信可能に接続されているのが、特典の取引管理をより容易とすることができるので好ましい。前記特典情報管理サーバーとしては、例えば特典情報管理系ホストコンピューター等が挙げられる。前記特典情報管理系ホストコンピューターは、各種のユーザーの特典取引（トランザクション）に基づいて、ユーザーが保有する特典の残高等を管理するコンピューターであり、通信回線を介して、特典発行者の制御系コンピューターに接続されうる。
【００１９】
前記ユーザー端末は、前記取引管理サーバーと通信可能に接続される端末であれば特に限定されない。前記ユーザー端末としては、例えば、図２に示すユーザー端末１１等が挙げられる。図２は、前記ユーザー端末の機能的要素を示すブロックダイアグラムであり、ユーザー端末１１の各要素間の関係を示すものである。いくつかの機能的要素は、個々に又は他と相まって、図１で示したユーザー端末１１の部材と関連付けることができる。
【００２０】
ユーザー端末１１は、前記取引管理サーバー１２と通信回線１８を介して通信可能に接続される端末であって、前記特典の特典情報を情報処理できる端末であれば特に限定されず、公知のものであってよい。図２に示すように、ユーザー端末１１は、記憶部１１０１、処理部１１０２、入力部１１０３、出力部１１０４、表示部１１０５及び通信部１１０６を含んで構成される。すなわち、ユーザー端末１１は、公知のサーバーやコンピューターの基本構成を備えていれば特に限定されず、例えば公知の端末等を用いることができる。本発明においては、ユーザー端末１１が、取引管理サーバー１２からブロックチェーン１９のデータを部分的に受信して処理を行うＳＰＶクライアントとして機能するのが好ましい。
【００２１】
図２のユーザー端末１１において、処理部１１０２は、ＣＰＵ等の演算処理を行う手段を含む。処理部１１０２は、記憶部１１０１に記憶されている特典取引管理プログラム等を実行することによって、本実施の形態における特典取引等に関する処理を実現する。記憶部１１０１は、半導体メモリ、ハードディスク等の記憶装手段を含む。記憶部１１０１は、処理部１１０２とアクセス可能に接続され、各種処理に供されるデータ等を記憶する。入力部１１０３は、ユーザー端末１１に情報を入力する手段を含む。入力部１１０３は、例えば、ユーザーからの入力を受けるタッチパネルやキーボードを備える。また、入力部１１０３は、ユーザーの外部から情報を受け取るネットワークインターフェース等を含み、処理に供されるデータを受信する。出力部１１０４は、ユーザー端末１１で処理された情報を出力する手段を含む。出力部１１０４は、例えば、管理者に対して画像を呈示するディスプレイを備える。また、出力部１１０４は、通信回線１８を介して、ユーザー端末１１の外部へ情報等を送信するネットワークインターフェース等を含む。表示部１１０５は例えば、液晶ディスプレイ、ディスプレイパネルなどのディスプレイデバイスである。入力部１１０３と表示部１１０５とは、別体であってもよいし、一体化されたタッチパネルとして構成されてもよい。通信部１１０６は、例えば、通信インタフェースである。
【００２２】
図３は、図１の取引管理システムにおいて好適に実施される情報処理フローの一例を模式的に示す図である。また、図４は、図１の取引管理システムにおいて好適に実施されるフローチャートの一例を模式的に示す図である。かかる処理は、例えば図２に示されるユーザー端末１１の各機能が、ＣＰＵにて所定のプログラムを実行されることにより実行される。以下では、図３及び図４をもとに本発明の好適な態様を説明する。
【００２３】
ユーザーは、前記ユーザー端末を用いて、前記特典の取引を行うために、特典取引開始画面コンテンツとしてメニュー画面を前記ユーザー端末に表示させる（Ｓ２０１）。メニューが表示された後、特典取引開始画面コンテンツでは、前記ユーザーの前記特典の取引資格や特典情報を得るために、ユーザーに対し、ログイン情報が求められて、認証処理を行うように促される（Ｓ２０２）。ログイン情報が求められると、前記ユーザーは、前記ユーザー端末を用いて、ユーザーＩＤやパスワード等のユーザー認証情報をログイン情報として前記取引管理サーバーに送信する（Ｓ１０１）。前記取引管理サーバーは、前記ユーザー端末からユーザー認証情報を受信すると、認証確認を行う（Ｓ１０２）。認証確認後、前記取引管理サーバーは、前記認証確認結果を前記ユーザー端末に対して送信する（Ｓ１０３）。前記ユーザー端末は、前記取引管理サーバーから前記認証確認結果を受信すると、前記認証確認結果にエラー情報が付加されている場合には、認証エラーを前記ユーザー端末の画面上に表示させる。前記認証確認結果が問題なく完了している場合には、認証処理（Ｓ２０２）が完了し、前記ユーザー端末は、前記ユーザーに対し、前記特典の有効期限条件選択画面を表示する（Ｓ１０４）。
【００２４】
有効期限条件選択画面は、前記有効期限の条件を選択できれば特に限定されない。前記有効期限条件選択画面の好適な一例を図５に示す。図５はスマートフォン等の表示画面を示しており、前記特典の有効期限の条件を、プルダウンメニューを表示させることによって選択可能にしている。図５では、前記特典がポイントである場合の例を示し、前記有効期限の条件として、有効期限まで残り３日間以上、残り１週間以上、残り１ヶ月以上、残り３ヶ月以上及び残り５ヶ月以上等から選択できるように選択画面が表示されている。
【００２５】
ユーザーは、前記特典の有効期限の条件を選択し（Ｓ２０３）、選択した条件を前記ユーザー端末から前記取引管理サーバーに送信する（Ｓ１０５）。前記取引管理サーバーは、前記ユーザーが選択した条件を前記ユーザー端末から受信すると、選択条件に基づいて前記特典の特典情報を抽出する（Ｓ１０６）。前記取引管理サーバーは、特典情報を抽出した後、抽出した特典情報を前記ユーザー端末に送信し（Ｓ１０７）、これにより、前記ユーザー端末では、縦軸又は横軸を前記特典の価格とし、横軸又は縦軸を時間とするチャートを表示することができるようになる。前記チャートの好適な一例を図６に示す。図６のチャートは、横軸を時間、縦軸を特典の価格とするチャートであり、ローソク足チャートにて、始値、高値、安値及び終値が時系列で表示されている。前記ユーザーは、前記チャートを前記ユーザー端末の画面上に表示し（Ｓ１０８、Ｓ２０４）、前記チャートを参考にして前記特典の取引を行うことができる。なお、本発明においては、全チャートを取引選択画面において表示させるのも好ましく、前記特典の取引をより容易に行うことができるようになる。
【００２６】
前記ユーザーは、前記ユーザー端末の画面上に取引選択画面を表示させると、所望の取引条件を指定し、選択する（Ｓ１０９、Ｓ２０５）。前記取引選択画面の好適な一例を図７及び図８に示す。図７は、ポイントを現物取引にて日本円と売買する際の注文画面を取引選択画面として示す。図７の注文画面では、ポイントの注文量を入力し、ついでポイントを買うか、又はポイントを売るかを選択した後、注文ボタンを押すと、前記取引管理サーバーに注文情報を送信できるように構成されている。また、図７では、右側にポイントの板情報が表示されており、前記板情報は、気配値（特典の買い方が「買いたい」、売り方が「売りたい」と希望している価格）、買気配値（価格ごとの買い希望数）及び売気配値（価格ごとの売り希望数）から構成されている。このような板情報も本発明においては、好適に用いることができ、より容易に取引を行うことを可能としている。また、図８の注文画面は、図７の注文画面が、ポイントの有効期限が残り１ヶ月以上の条件を示しているのに対し、ポイントの有効期限が残り３ヶ月以上の条件を示している点で図７とは異なる。このようにポイントの有効期限の条件ごとにチャートや板情報を作成することにより、前記特典の取引がより一層容易となる。
【００２７】
前記ユーザー端末から前記ユーザーにより選択された取引情報（注文情報等）が前記取引管理サーバーに送信され（Ｓ１１０）、取引可能要件のチェックが実施される（Ｓ２０６）。前記取引管理サーバーは、前記ユーザー端末から取引情報を受信すると、取引可能かどうかの要件チェックを行い、要件を満たす場合には、取引情報の受付を行い、取引受付情報を前記ユーザー端末に送信する。なお、要件を満たさなかった場合には、エラー情報を付加して前記ユーザー端末に要件チェック結果を送信し、前記ユーザー端末の画面上にエラー表示がなされる。
【００２８】
ここで、本発明において好適に用いられるブロックチェーンについて説明する。本発明においては、ブロックは、特典に関する情報を含む取引データベースとして機能する。具体的には、各ブロックは、ダイジェストデータ及び取引に関する情報であるトランザクションのリストを含む。ダイジェストデータは、１つ前のブロックから算出された新たなハッシュ値を含む。すなわち、図９に示すように、ブロックが１つ前のブロックに含まれる情報から算出されたハッシュ値を含むことによって、各ブロックがチェーンのように繋がった状態で取引データベース（ブロックチェーン）として記憶される。取引履歴データベースは、前記取引管理サーバーのみにて管理されるのではなく、前記ユーザー端末等においても検証及び追加される。
【００２９】
トランザクションは、特典交換を記録するデータである。トランザクションは、インプット情報とアウトプット情報とを含む。インプット情報は、交換元となる利用者が取引対象となる特典の交換を受けたときのトランザクションのアウトプット情報（トランザクションを特定する識別情報（トランザクションのハッシュ値や配列番号等））と、ユーザーがその特典を所有することを証明するための情報（当該アウトプットを使用する条件を満たすスクリプト等）を含む。アウトプット情報は、交換された特典の種類及び数、交換先を特定するアドレスにおいて交換された特典を使用するためのスクリプト等の情報を含む。上記のように構成することで、ユーザーが特典を取引するための取引管理システムにおける取引管理装置（例えば前記取引管理サーバー又は前記ユーザー端末等）を、縦軸又は横軸を前記特典の価格とし、横軸又は縦軸を時間とするチャートを前記ユーザーに画像表示する手段として機能させることができる。
【産業上の利用可能性】
【００３０】
本発明の取引管理システム、取引管理方法及びこれらに適用されるプログラムは、特典の利活用に有用である。
【符号の説明】
【００３１】
１１    ユーザー端末
１２    取引管理サーバー
１８    通信回線
１９    ブロックチェーン
１１０１    記憶部
１１０２    処理部
１１０３    入力部
１１０４    出力部
１１０５    表示部
１１０６    通信部
【図１】
2022001973.tif 000003
【図２】
2022001973.tif 000004
【図３】
2022001973.tif 000005
【図４】
2022001973.tif 000006
【図５】
2022001973.tif 000007
【図６】
2022001973.tif 000008
【図７】
2022001973.tif 000009
【図８】
2022001973.tif 000010
【図９】
2022001973.tif 000011